【手続補正書】
【提出日】平成18年1月25日(2006.1.25)
【手続補正１】
【補正対象書類名】特許請求の範囲
【補正対象項目名】全文
【補正方法】変更
【補正の内容】
【特許請求の範囲】
【請求項１】
複数のエンドユーザ局を接続し、かつブロードキャスト／マルチメディア送信をサポートする無線ネットワークを介して、マルチメディアコンテンツを含むデータ情報の通信用システムであって、
前記無線ネットワークの少なくとも１つのセグメントに関連する、選択されたデータ情報の少なくとも一部を記憶する少なくとも１つの中央キャッシュ構成を有する中央サーバ手段と、
送信スケジューリングを行う送信スケジューリング手段と、
スケジューリング情報を使用して、前記無線ネットワークの前記少なくとも１つのセグメント内のエンドユーザ局へ情報をマルチキャスト／ブロードキャストプッシュする中央キャッシュ構成プッシュエンジンを制御する中央キャッシュ構成制御手段とを備え、
前記エンドユーザ局は、前記プッシュされたデータ情報を保持する専用のローカルプッシュコンテンツキャッシュ手段を有するあるいは関連付けられており、各エンドユーザによるリクエストにおいて、選択されたデータ情報が、カスタマイズされた方法で、ユーザクライアントを介して、前記ローカルプッシュコンテンツキャッシュ手段から前記エンドユーザへ提供される
ことを特徴とするシステム。
【請求項２】
前記ネットワークのセグメントは、前記無線ネットワークのローカル部分に対応する
ことを特徴とする請求項１に記載のシステム。
【請求項３】
前記セグメントは、接続されるエンドユーザ局の数が一時的に大量あるいは相当数となるネットワークの一部分に対応し、これは、大量数の同時接続エンドユーザ局を有する、ホットスポット、スポーツアリーナ、特定イベント用のパブリックプレースあるいは任意の場所に対応する
ことを特徴とする請求項２に記載のシステム。
【請求項４】
部分的に重複するネットワークのセグメントが実現される
ことを特徴とする請求項２または３に記載のシステム。
【請求項５】
前記プッシュされたデータ情報のコンテンツは、セグメント依存、即ち、各セグメントに対して少なくとも主要な部分が異なる
ことを特徴とする請求項２、３または４に記載のシステム。
【請求項６】
同一コンテンツの少なくとも一部が、前記無線ネットワークの１つ以上のセグメントにプッシュされる
ことを特徴とする請求項３または４に記載のシステム。
【請求項７】
前記エンドユーザ局クライアントは、システムへの接続時、前記セグメントに対応するエリアへの進入時、あるいはエンドユーザ使用パターンの確立時に、セグメントに割り当てられる
ことを特徴とする請求項１乃至６のいずれか１項に記載のシステム。
【請求項８】
前記データ情報は、マルチメディア情報、クリップあるいはライブ、ビデオ／オーディオ、ウェブページ、ファイル、アプリケーションの少なくとも１つを含む
ことを特徴とする請求項１乃至７のいずれか１項に記載のシステム。
【請求項９】
１つのマルチキャスト／ブロードキャストセッションが、いくつかのマルチメディア／ビデオクリップ／ウェブページを送信するために使用される
ことを特徴とする請求項８に記載のシステム。
【請求項１０】
新規のマルチキャスト／ブロードキャストセッションが、各マルチメディアコンテンツ、クリップ／ウェブ（ページ）あるいはファイル送信に対して生成される
ことを特徴とする請求項８に記載のシステム。
【請求項１１】
シングルマルチキャスト／ブロードキャストセッションあるいはいくつかのマルチキャスト／ブロードキャストセッションが、各並行配信チャネルに対して使用される
ことを特徴とする請求項１乃至１０のいずれか１項に記載のシステム。
【請求項１２】
前記中央キャッシュ構成プッシュエンジンは、１つ以上のセグメントのエンドユーザ局へデータ情報コンテンツをプッシュすることができる
ことを特徴とする請求項１乃至１１のいずれか１項に記載のシステム。
【請求項１３】
各セグメントに対して、１つの中央キャッシュ構成制御手段と１つのプッシュエンジンが存在する
ことを特徴とする請求項１乃至１２のいずれか１項に記載のシステム。
【請求項１４】
コンテンツ情報の１つである、送信スケジューリング手段からのリストは、前記エンドユーザ局にリクエストに対するデータ情報の選択を可能にする関連セグメント内のエンドユーザ局に送信される、あるいは前記マルチメディアコンテンツにはタグが付けられる
ことを特徴とする請求項１乃至１３のいずれか１項に記載のシステム。
【請求項１５】
前記中央キャッシュ構成は、各セグメントに対して、いくつかの従属キャッシュ制御エンジンと、前記従属キャッシュ制御エンジンを制御し、送信を調整し、かつエンドユーザ局セグメントローミングを処理する専用マスタキャッシュ制御エンジンを有する
ことを特徴とする請求項１乃至１４のいずれか１項に記載のシステム。
【請求項１６】
前記送信スケジューリング手段は、エンドユーザリクエスト時とエンドユーザ提供時との間の遅延を最小化するために要求される、推定された／予約されたコンテンツ及びエンドユーザについての情報からなるアルゴリズムを使用する
ことを特徴とする請求項１乃至１５のいずれか１項に記載のシステム。
【請求項１７】
セグメントのあるエンドユーザ局から、一部が重複する別のセグメントの別のエンドユーザ局へ情報を送信するためのエンドユーザ間通信が可能となる、これは、一部が異なる情報データが前記一部が重複する別のセグメントへ提供される場合である（ブルートゥース）
ことを特徴とする請求項１乃至１６のいずれか１項に記載のシステム。
【請求項１８】
ビデオ、ストリーミング情報の少なくとも１つを含むライブのエンドユーザリクエストに対して、エンドユーザ局クライアントは、ローカルキャッシュに渡すコンテンツなしに、前記ライブのマルチキャスト／ブロードキャストのストリームを別々に接続することができる
ことを特徴とする請求項１乃至１７のいずれか１項に記載のシステム。
【請求項１９】
前記中央サーバ手段からのコンテンツの再送信をリクエストすることができ、前記コンテンツの送信が時間間隔によるものである場合に、前記キャッシュエンジンから再送信がリクエストされないようにするための制限時間が与えられる
ことを特徴とする請求項１乃至１８のいずれか１項に記載のシステム。
【請求項２０】
前記無線ネットワークは、ＩＰベース、ＷＬＡＮ、ＨＩＰＥＲＬＡＮ  ２，３，４、ＩＥＥＥ８０２．１１、ＵＭＴＳ、ＧＳＭ／ＧＰＲＳ、ＥＤＧＥ、ＰＤＣ、ＣＤＭＡ、ＷＣＤＭＡ、ＣＤＭＡ２０００、ＤＶＢ及びバックチャネルを有するハイブリッドネットワーク、プロキシサーバを専用に有する前記プッシュコンテンツローカルキャッシュの少なくとも１つである
ことを特徴とする請求項１乃至１９のいずれか１項に記載のシステム。
【請求項２１】
マルチメディアコンテンツを含むデータ情報の通信をサポートする無線ネットワーク内のエンドユーザ局であって、
専用のローカルプッシュコンテンツキャッシュ手段を備える、あるいは関連付けられ、このローカルプッシュコンテンツキャッシュ手段は、当該エンドユーザ局が接続されているあるいは配置されている前記無線ネットワーク内の少なくとも１つのセグメントへのデータ情報のプッシュを制御する中央サーバ手段によって、当該エンドユーザ局に対してマルチキャスト／ブロードキャストを介してプッシュされるデータ情報を保持し、リクエストに応じて、選択され、かつカスタマイズされたデータ情報を、前記ローカルプッシュコンテンツキャッシュ手段から前記エンドユーザ局のクライアントへフェッチできる
ことを特徴とするエンドユーザ局。
【請求項２２】
前記エンドユーザ局へプッシュされるあるいはプッシュ対象の情報についての情報として、リストあるいはスケジュールを受信する手段を備え、そうすることで、前記エンドユーザ局は、所望の時間で提供されるべき所望のコンテンツを選択するために、前記情報のリクエストを行うことができる
ことを特徴とする請求項２１に記載のエンドユーザ局。
【請求項２３】
前記専用プッシュコンテンツキャッシュ手段は、プロキシを備える
ことを特徴とする請求項２１または２２に記載のエンドユーザ局。
【請求項２４】
前記データ情報は、ライブビデオ、ビデオ、クリップ、ウェブページ、オーディオ、ＨＴＭＬ、ＧＩＦ、ＪＰＥＧファイル、アプリケーション、センサーデータあるいはそれらの任意の組み合わせのマルチメディアコンテンツの少なくとも１つを含む
ことを特徴とする請求項２１乃至２３のいずれか１項に記載のエンドユーザ局。
【請求項２５】
当該エンドユーザ局は、ＰＤＡ、携帯電話、携帯端末あるいは任意の他の無線端末である
ことを特徴とする請求項２１乃至２４のいずれか１項に記載のエンドユーザ局。
【請求項２６】
無線ネットワークの少なくとも１つのセグメントに対して関連する、選択されたデータ情報の少なくとも一部を記憶する少なくとも１つの中央キャッシュ構成を有する、前記無線ネットワーク内の中央サーバであって、
送信スケジューリング手段と、スケジューリング情報を使用することによって、前記無線ネットワークの前記少なくとも１つのセグメントに接続されている無線局へ前記選択されたデータ情報を自動的にマルチキャスト／ブロードキャストプッシュを行う中央キャッシュプッシュエンジンを制御する中央キャッシュ構成制御手段と
を備えることを特徴とする中央サーバ。
【請求項２７】
マルチメディアコンテンツ、ビデオ（ライブあるいはクリップ）、オーディオ、ファイル／ウェブページの少なくとも１つを含む前記選択されたデータ情報に関連する、リストを含むコンテンツ情報が、前記セグメントの前記エンドユーザ局のローカル専用キャッシュ手段に提供される
ことを特徴とする請求項２６に記載の中央サーバ。
【請求項２８】
前記中央キャッシュ構成は、いくつかの従属キャッシュ制御エンジンを備え、それらの１つは、いくつかのセグメントのそれぞれに対するものであり、かつ前記従属キャッシュ制御エンジンを制御し、かつ送信を調整する専用マスタキャッシュ制御エンジンを備える
ことを特徴とする請求項２６または請求項２７に記載の中央サーバ。
【請求項２９】
いくつかのセグメントそれぞれに対して１つのプッシュエンジンを備え、その内の特定の１つは、各セグメントに対するものである
ことを特徴とする請求項２８に記載の中央サーバ。
【請求項３０】
無線ネットワークにおいて、マルチメディアコンテンツを含むデータ情報をエンドユーザ局へ通信する方法であって、
前記無線ネットワークの少なくとも１つのセグメントの前記エンドユーザ局に関連する、選択されたデータ情報の少なくとも一部を、中央サーバ手段の中央記憶／キャッシュ構成に記憶するステップと、
スケジューリング情報を提供するために送信スケジューリング処理を実行するステップと、
前記少なくとも１つのセグメントの前記エンドユーザ局に対する、前記関連するデータ情報のマルチキャスト／ブロードキャストプッシュを制御するための前記スケジューリング情報を使用するステップと、
前記エンドユーザ局に、コンテンツリストを含むコンテンツ情報を提供するステップと、
前記プッシュされたデータ情報を、前記エンドユーザ局それぞれのローカル専用プッシュコンテンツキャッシュ手段に記憶するステップとを備え、
そうすることで、前記エンドユーザ局のそれぞれは、カスタマイズされた方法で、自身のローカル専用プッシュコンテンツキャッシュ手段からマルチメディアコンテンツのようなデータ情報をリクエストし、かつアクセスすることができる
ことを特徴とする方法。